Podtech/llm-jp-corpus-v4-ja_patent huggingface dataset:
(57)【要約】      （修正有）【課題】チャイルドレジスタンス機能付きであり、大人にとって操作性が良いライターを提供する。【解決手段】押し込み部とライター本体の押し込み部以外の部分とで構成される空間内に可動体を設ける。【選択図】図６
0003163052.tif 000002
【実用新案登録請求の範囲】
【請求項１】
可動体を押し込み部の空間内に自在に動くように設けたライター。
【考案の詳細な説明】
【技術分野】
【０００１】  本考案は、チャイルドレジスタンス機能付きライターに関するもので、可動体を押し込み部の空間内に自在に動くように設けたライターである。
【背景技術】
【０００２】  従来のチャイルドレジスタンス機能付きライターは、大人にとって操作性が良いものはなかった。
【考案の開示】
【考案が解決しようとする課題】
【０００３】  従来は次のような欠点があった。
従来のライターは簡単に火がつくので、子供がライターで遊んだことが原因で火災になることがあった。
また、従来のチャイルドレジスタンス機能付きライターは、大人にとって操作性が良いものはなく不便であった。
本考案は、上記の欠点を除くためになされたものである。
【課題を解決するための手段】
【０００４】  可動体を押し込み部の空間内に自在に動くように設ける。
押し込み部に凹み部を設ける。
本考案は、以上のような構成により問題点を解決している。
【考案の効果】
【０００５】  押し込み部を親指で上に上げる。
可動体を凹み部と押し上げ部の間に移動させる。
可動体を凹み部と押し上げ部の間に挾んだ状態で押し込み部を親指で押す。
上記の三つの操作をすることで火を付けることが容易にできる。
また、上記の三つの操作は片手で容易にできる。
そして、上記の三つの操作のいずれか一つでも欠ければ火は付かないので子供がライターで遊んでいても容易に火は付かないので子供がライターで遊んだことが原因の火災を減らすことができる。
【考案を実施するための最良の形態】
【０００６】  可動体を押し込み部の空間内に自在に動くように設ける。
押し込み部に凹み部を設ける。
押し込み部に防塵部を設ける。
押し込み部に斜面部を設ける。
押し込み部はストッパー部７により、それ以上、下に下がらない。
【実施例】
【０００７】  以下、本考案の実施例について説明する。
可動体１を押し込み部５の空間内に自在に動くように設ける。
第２図にあるように押し込み部５を上に上げると可動体１は押し込み部５と押し上げ部６との空間内はより広くなり、より自在に動くことができる状態になる。
可動体１の形状は球体、多面体などで押し込み部５と押し上げ部６との間の空間内で挾まったり、引っ掛かって作動不良とならない形状である。
可動体１の大きさも押し込み部５と押し上げ部６との間の空間内で挾まったり、引っ掛かって作動不良とならない大きさである。
可動体１は押し込み部５を親指で上に上げないと移動することができない。
押し込み部５に凹み部２を設ける。
凹み部２は可動体１の落ち着きを良くするためのものである。
第３図にあるように傾斜させ、凹み部２まで可動体１を移動させる。
第４図にあるように可動体１が凹み部２まで移動したら押し込み部５を下げて、凹み部２と押し上げ部６に可動体１を挾んだ状態にする。
第５図にあるように凹み部１と押し上げ部６との間に可動体１を挾んだ状態で水平にする。
第６図にあるように凹み部１と押し上げ部６との間に可動体１が挾まれた状態で押し込み部５を押すと着火する。
第７図にあるように凹み部２と押し上げ部６との間に可動体１が挾まれていない状態で押し込み部５を押しても着火はしない。
押し込み部５に防塵部３を設ける。
防塵部３は使わないとき、埃やゴミや異物が可動する部分に入らないようにするためのものである。
第１図にあるように防塵部３は使わないときは塞いでいる。
押し込み部５に斜面部４を設ける。
斜面部４は押し込み部５に可動体１が挾まったり、引っ掛かったりしないようにするためのものである。
斜面部４により誤作動を防いでいる。
押し込み部５はストッパー部７により、それ以上、下に下がらない。
可動体１の数、大きさ、形状、位置、材質をいろいろにすることにより、多種多様にすることができる。
可動体１の数、大きさ、形状、位置、材質により、いろいろなライターに対応することができる。
【図面の簡単な説明】
【０００８】
【図１】本考案の使わないときの側面の断面図である。
【図２】本考案の押し込み部を親指で上に押し上げたときの側面の断面図である。
【図３】本考案の可動体をライターを傾けて移動させたときの側面の断面図である。
【図４】本考案の可動体を凹み部と押し上げ部で挾んだときの側面の断面図である。
【図５】本考案の可動体を凹み部と押し上げ部で挾んだまま水平にしたときの側面の断面図である。
【図６】本考案の押し込み部を押し込んで着火したときの側面の断面図である。
【図７】本考案の可動体を移動させないで押し込み部を押し込んで着火しないときの側面の断面図である。各図の各部において主要部以外は省略している。各図の各部において波線以外の部分は省略している。各図の各部において手と親指は省略している。
【符号の説明】
【０００９】  １    可動体
２    凹み部
３    防塵部
４    斜面部
５    押し込み部
６    押し上げ部
７    ストッパー部
８    圧電素子ハンマー部
９    ガス量調節レバー
１０  ガス口部
１１  金属カバー
１２  導線
１３  導線固定部
１４  火
【図１】
0003163052.tif 000003
【図２】
0003163052.tif 000004
【図３】
0003163052.tif 000005
【図４】
0003163052.tif 000006
【図５】
0003163052.tif 000007
【図６】
0003163052.tif 000008
【図７】
0003163052.tif 000009
【手続補正書】
【提出日】平成22年7月7日(2010.7.7)
【手続補正１】
【補正対象書類名】実用新案登録請求の範囲
【補正対象項目名】全文
【補正方法】変更
【補正の内容】
【実用新案登録請求の範囲】
【請求項１】
押し込み部とライター本体の押し込み部以外の部分とで構成される空間内に可動体を設けたライター。
(57)【要約】      （修正有）【課題】寝具の隅に施されているループの有無にかかわらず、形状を維持しながら使用できる掛けカバーを提供する。【解決手段】掛けカバーの四隅に開口を有し、ラセン状に巻いた布が、掛けカバーの隅から対角線上に縫合されており、ラセン巻きの布は掛けカバーの隅に向かって細くなりその先端に止め具を有するテープを備え、終巻手前の両側に紐の付着がある。【選択図】図２
0003163057.tif 000002
【実用新案登録請求の範囲】
【請求項１】
掛カバーの四隅を開口し、ラセン状に巻いた布を、掛けカバーの隅から対角線上に縫合する。ラセン巻きの布は、掛けカバーの隅に向かって細くなり、その先端に留め具を有するテープを備え、終巻手前の両側に紐の付着のある掛けカバー。
【考案の詳細な説明】
【技術分野】
【０００１】  本考案は、掛けカバーに関するもので、掛けカバー内に寝具を収納時の労の軽減と掛けカバーの各隅内部に付着する紐の有無に係わらず使用中も寝具の形状維持を可能にしたものである。
【背景技術】
【０００２】  従来の掛けカバーには、寝具の定着措置として内部に紐の有無がある。
【考案の開示】
【考案が解決しようとする課題】
【０００３】  掛けカバーの内部には、寝具の定着措置として紐の付着の有無がある紐無しの掛けカバー内寝具は、使用中ズレ、片寄り等を生じる事がある。
又、寝具を収納時の作業は掛けカバー内での事で面倒である。この不都合な解決を課題とする。
【課題を解決するための手段】
【０００４】  この課題を解決するため、掛けカバーの四隅を開口し、ラセン状に巻いた布を掛けカバーの隅から対角線上に縫合する。ラセン巻きの布は、カバーの隅に向かって細くなりその先端に留め具を有するテープを備え、終巻手前の両側に紐の付着のある掛けカバーである。
【考案の効果】
【０００５】  本考案により掛けカバー内の寝具は、隅に施されているループの有無にかかわらず定着措置が可能となる。故に押入れ内で管理外であった従来の寝具も、カバー内に収納時の形状を維持しつつ使用できる。安全な材料で構成も簡単な掛けカバー。
【考案を実施するための最良の形態】
【０００６】  掛けカバーの四隅を開口し、ラセン状に巻いた布を、掛けカバーの隅から対角線上に縫合する。ラセン巻きの布は、掛けカバーの隅に向かって細くなり、その先端に留め具を有するテープを備えて、終巻手前の両側に紐の付着のある掛けカバーで、ラセン巻きは、幅の広い方から巻き始め誤差の活用で紐の結び目を、固定させる。
【図面の簡単な説明】
【０００７】
【図１】ラセン状に巻かれる布の平面図である。
【図２】掛けカバーに縫合状態のラセン巻きの平面図である。
【符号の説明】
【０００８】１掛けカバーの裏側
２掛けカバーの表側
３ラセン巻き布
４留め具を有するテープ
５紐
６掛けカバー表裏の留め具
【図１】
0003163057.tif 000003
【図２】
0003163057.tif 000004
【手続補正書】
【提出日】平成22年7月9日(2010.7.9)
【手続補正１】
【補正対象書類名】実用新案登録請求の範囲
【補正対象項目名】全文
【補正方法】変更
【補正の内容】
【実用新案登録請求の範囲】
【請求項１】
掛けカバーの四隅に開口を有し、ラセン状に巻いた布が、掛けカバーの隅から対角線上に縫合されており、ラセン巻きの布は掛けカバーの隅に向かって細くなりその先端に止め具を有するテープを備え、終巻手前の両側に紐の付着のある掛けカバー。
【手続補正２】
【補正対象書類名】明細書
【補正対象項目名】０００４
【補正方法】変更
【補正の内容】
【０００４】  掛けカバーの四隅に開口を有し、らせん状に巻いた布が、掛けカバーの隅から対角線上に縫合されており、ラセン巻きの布は掛けカバーの隅に向かって細くなりその先端に止め具を有するテープを備え終巻手前の両側に紐の付着のある掛けカバー。
(57)【要約】      （修正有）【課題】屋根上の太陽光パネル等の架台取り付け部分から、取り付け誤差や経年変化により雨漏りするのを防ぐ緩衝防水パッドを提供する。【解決手段】僅かな圧縮力で展延する非加硫ブチル粘着ゴムパッド１の上にパッドから食み出さない大きさでパッド厚みの０．５から０．８倍の線径を持つＯリング２を配し、非加硫ブチル粘着ゴムパッド１の厚さがＯリング２の厚さ近くに成るまで架台５を、取り付けネジ４にて締め付ける。締め付けにより押さえられたブチルゴムはネジ孔９の隙間を充填し、且つ、Ｏリング２により非加硫ブチル粘着ゴムパッド１の厚みの減少が止まる。【選択図】図３
0003163064.tif 000002
【実用新案登録請求の範囲】
【請求項１】
屋根上やベランダの取付け架台の下に、円形状や四角形状の柔軟性を有する非加硫ブチル粘着ゴムとその上に粘着ゴムより食み出さない大きさのＯリングを組み合わせたことを特徴とする緩衝防水パッド。
【考案の詳細な説明】
【技術分野】
【０００１】  本考案はプラスチック及び金属屋根、コンクリート屋上及びベランダ等に設置される太陽光パネル、クーラー室外機等の取り付け架台の下に敷設する非加硫ブチル粘着緩衝防水パッドに関するものである。
【背景技術】
【０００２】  架台の下に敷設されたパッドは、経年変化による厚さの減少や施工の不慣れにより屋根の雨漏りの問題を起す
【考案の概要】
【考案が解決しようとする課題】
【０００３】  屋根等が架台の取り付け時の誤差や経年の風圧振動によりネジ孔や釘孔が拡がり雨漏りするのを流動性のあるブチルゴムで塞ぎ、長期の緩衝機能保持と雨漏り防止をしたい。
【課題を解決するための手段】
【０００４】  本考案は、四角状又は円形状の架台下敷き用非加硫ブチル粘着ゴムパッドにパッドから食み出さない大きさでパッドの厚さの０．５から０．８倍の線径を有するＯリングを配することにより、下敷きパッドが重量の懸かった状態で夏期の高温環境で液状化する事や経年圧縮クリープによる厚みの減少変化をＯリングの厚みで止め、同時に拡がったネジ孔や釘孔の隙間を非加硫ブチルゴムが埋めることにより、長期に亘り架台下敷きゴムパッドの緩衝及び漏水防止機能保持の課題を解決する。
【考案の効果】
【０００５】  上述のように、本考案の架台下敷き用非加硫ブチル粘着緩衝防水パッドは経験年数の比較的浅い施工業者による取り付けを可能にすると共に、夏期の高温環境や経年による緩衝及び漏水防止機能の低下を遅らせることが出来る。
【図面の簡単な説明】
【０００６】
【図１】本考案の架台下敷き用非加硫ブチル粘着緩衝防水パッドの構成斜視図を示す。
【図２】本考案の架台下敷き用非加硫ブチル粘着緩衝防水パッドの構成断面図を示す。
【図３】下敷き用非加硫ブチル粘着緩衝防水パッド実施例の一部切欠き断面図である。
【図４】非加硫ブチル粘着緩衝防水パッドの金属製屋根への組付け斜視図を示す。
【考案を実施するための形態】
【０００７】以下、本考案の実施の形態を添付図面に基付いて具体的に説明する。図１は考案による、架台の下敷き用非加硫ブチル粘着緩衝防水パッドの構成斜視図である。僅かな圧縮力で展延する１の非加硫ブチル粘着ゴムパッドの上にパッドから食み出さない大きさでパッド厚みの０．５から０．８倍の線径を有する２のＯリングを配したものである。図２は図１の構成断面図である。
【実施例】
【０００８】  図３は図１に重量が懸かった状態で、非加硫ブチル粘着ゴムパッド１が夏期等の高温環境で液状化や経年圧縮クリープによりＯリング２の厚さまで変形し押さえられたゴムが金属製屋根６及び野地板７、垂木８の部分の拡がったネジ孔９の隙間を埋め漏水防止機能を持つ、且つ、非加硫ブチル粘着ゴムパッド１はＯリング２によって厚みの減少が止まるため薄くならず緩衝効果が阻害されない。使用するＯリングは耐油性のあるニトリルゴム製が望ましい。【０００９】  図４は角型架台３の下に敷設する、Ｏリング２を配した非加硫ブチル粘着ゴム１の金属製屋根６への組付けの斜視図を示したものである。非加硫ブチル粘着ゴムパッド１の平面形状は架台下部フランジ５より幾分大きい寸法のものである。Ｏリング２の大きさは、非加硫ブチル粘着ゴムパッド１及び架台下部フランジ５より小さく、取り付けボルト４のピッチサークルより幾分大きい内径のものである。
【符号の説明】
【００１０】  １  非加硫ブチル粘着ゴムパッド。
２  Ｏリング。
３  角型架台。
４  取り付けネジ、スプリングワッシャー。
５  架台下部フランジ。
６  金属製屋根。
７  野地板。
８  垂木。
９  ネジ孔。
１０  母屋桁。
１１  太陽光パネル取り付けボルト。
【図１】
0003163064.tif 000003
【図２】
0003163064.tif 000004
【図３】
0003163064.tif 000005
【図４】
0003163064.tif 000006
(57)【要約】【課題】  本考案はピアスの装着時に容易なことと着用時に抜け落ちにくいことを課題とし、デザイン性も考慮する。【解決手段】  人体への装着に適し、耳の大きさに合わせて加工出来うる線状の素材をアルファベットのＮ字型に形成することにより、装着が容易で、抜け落ちにくく、ピアス本体のデザインを阻害しないピアスフックとして活用する。【選択図】図１
0003163062.tif 000002
【実用新案登録請求の範囲】
【請求項１】
装身具であるピアスを耳のピアス穴に差し込んで装着するための用具で、Ｎ字型をしたピアスフック
【考案の詳細な説明】
【技術分野】
【０００１】  本考案は、装身具のピアスを耳に装着するフックの部分に関するものである。
【背景技術】
【０００２】  ピアスの装着用具として、従来はほとんどがＵ字型のフックもしくはキャッチ式のものを使用している。
【考案の概要】
【考案が解決しようとする課題】
【０００３】  従来のＵ字型のフックは、概ね装着は容易だが、ピアス本体のデザインによっては抜けやすく、また、正面から見たときに、耳の下にフック部分が見えて美しさに欠ける。キャッチ式のものは、キャッチ部分がとても小さいので装着が難しく、キャッチ部分が外れやすいため、紛失しやすい。本考案はフックの形状を工夫することでこれら双方の問題点を解決しようとするものである。
【課題を解決するための手段】
【０００４】  本考案は、人体に装着する為の素材として適切で、耳に合わせた大きさに形成でき線状の素材をアルファベットのＮ字型に形成することにより問題点を解決している。
【考案の効果】
【０００５】  上記の様に、本考案のＮ字型ピアスフックは、装着部分をアルファベットのＮ字型にすることによって、正面から差し込む方法のため、ピアス本体のデザインによらず装着が容易で、抜け落ちにくく、また、正面からもフック部分が見えないので、ピアス本体のデザインを阻害しない。
【図面の簡単な説明】
【０００６】
【図１】本考案のピアスフックの実施例を示す側面図である。
【図２】本ピアスフックの装着時の正面から見た図である。
【考案を実施するための形態】
【０００７】  金・銀・プラチナなどの金属あるいはプラスチックなど装身具として適切で、ピアス穴に差し込める太さの線状に加工できる素材を使用する。その線状の素材を、耳の大きさ、形状に合わせた寸法で、上下に二回緩やかなＮ字状に曲げ、先端部分も曲線に加工し装着しやすくする。
【実施例】
【０００８】  以下、添付図面によって実施例を説明すると、１はピアスの装飾部分で、３のフックと溶接または接着等の方法で一体化しており、２の耳の下部にあいたピアス穴に３を差し込んで装着する。
【符号の説明】
【０００９】１  ピアス本体の装飾部分
２  耳
３  Ｎ字型フック
【図１】
0003163062.tif 000003
【図２】
0003163062.tif 000004
(57)【要約】      （修正有）【課題】催眠効果を保持しながら、翌日に眠気やだるさが残らないカプセル剤を提供する。【解決手段】略円筒形状の本体部１ａと、略円筒形状のキャップ部１ｂとが嵌合されたカプセル剤であって、前記本体部と前記キャップ部とを嵌合して形成されたカプセル剤内部に、腸溶コーティングが施された略球形状のグルクロノラクトン顆粒２と、略円筒形状のジフェンヒドラミン塩酸塩顆粒３とが封入されてなるカプセル剤である。【選択図】図２
0003163019.tif 000002
【実用新案登録請求の範囲】
【請求項１】
略円筒形状の本体部と、略円筒形状のキャップ部とが嵌合されたカプセル剤であって、前記本体部と前記キャップ部とを嵌合して形成されたカプセル剤内部に、腸溶コーティングが施された略球形状のグルクロノラクトン顆粒と、略円筒形状のジフェンヒドラミン塩酸塩顆粒とが封入されてなるカプセル剤。
【考案の詳細な説明】
【技術分野】
【０００１】
本考案はカプセル剤に関する。さらに詳しくは、ジフェンヒドラミン塩酸塩およびグルクロノラクトン等を含むカプセル剤に関する。
【背景技術】
【０００２】
従来、睡眠・鎮静製剤として、ジフェンヒドラミン塩酸塩を用いた製剤が知られている（特許文献１）。当該製剤は、ジフェンヒドラミン塩酸塩の有する睡眠・鎮静作用により睡眠を導入することを目的としている。
【先行技術文献】
【特許文献】
【０００３】
【特許文献１】特開２００３−３００８７２号公報
【考案の概要】
【考案が解決しようとする課題】
【０００４】
しかしながら、特許文献１に記載の睡眠・鎮静製剤は、翌日まで眠気が続いたり、だるさを感じることがある、という問題がある。
【０００５】
そこで、本考案はかかる事情に鑑みて、カプセル剤の中にグルクロノラクトン顆粒とジフェンヒドラミン塩酸塩顆粒を封入し、該グルクロノラクトン顆粒に腸溶コーティングを施すことにより、ジフェンヒドラミン塩酸塩顆粒が溶解するまでの時間差を設け睡眠改善効果を保持しながら、翌日に眠気やだるさが残らないカプセル剤を提供することを目的とする。
【課題を解決するための手段】
【０００６】
本考案のカプセル剤は、略円筒形状の本体部と、略円筒形状のキャップ部とが嵌合されたカプセル剤であって、前記本体部と前記キャップ部とを嵌合して形成されたカプセル剤内部に、腸溶コーティングが施された略球形状のグルクロノラクトン顆粒と、略円筒形状のジフェンヒドラミン塩酸塩顆粒とが封入されてなるカプセル剤である。
【考案の効果】
【０００７】
本考案によれば、睡眠改善効果を保持しながら、翌日に眠気やだるさが残らないカプセル剤を提供することができる。
【図面の簡単な説明】
【０００８】
【図１】本考案の一実施形態（実施の形態１）にかかるカプセル剤の正面図である。
【図２】本考案の一実施形態（実施の形態１）にかかるカプセル剤の分解図である。
【図３】本考案の一実施形態（実施の形態１）にかかるグルクロノラクトン顆粒の断面図である。
【考案を実施するための形態】
【０００９】
実施の形態１
図１および２に示されるように、本考案のカプセル剤１は、略円筒形状の本体部１ａと、略円筒形状のキャップ部１ｂとが嵌合されたカプセル剤１である。前記本体部１ａと前記キャップ部１ｂとを嵌合して形成されたカプセル剤内部に、腸溶コーティングが施された略球形状のグルクロノラクトン顆粒２と、略円筒形状のジフェンヒドラミン塩酸塩顆粒３とが封入されてなる。
【００１０】
前記グルクロノラクトン顆粒２は、グルクロノラクトンまたはグルクロン酸アミドからなる。また、さらに無水カフェインまたはカフェインが配合されてもよく、賦形剤を配合してもよい。賦形剤としては、たとえば乳糖、デキストリン、デンプン、白糖を用いることができる。賦形剤を用いる場合、通常グルクロノラクトンの一日最小分量は２００ｍｇであり、一日最大分量は１０００ｍｇであるため、含量は２００〜１０００ｍｇに調製されてなる。また、グルクロン酸アミドを用いる場合も同様に、通常一日最小分量は２００ｍｇであり、一日最大分量は１０００ｍｇであるため、含量は２００〜１０００ｍｇに調製されてなる。無水カフェインおよびカフェインは、翌日に眠気やだるさが残りにくい点で腸溶コーティングされたグルクロノラクトン顆粒２に配合することが好ましい。カフェインまたは無水カフェインを用いる場合、これらの一日最大分量は通常１５０ｍｇであるため、含量は１０〜１５０ｍｇに調製されてなる。
【００１１】
グルクロノラクトン顆粒２の表面は、腸溶コーティング（コーティング層２ａ）が顆粒本体２ｂの表面に設けられている。該コーティング層２ａは、胃内酸性ｐＨ域で溶解せず腸内中性ｐＨ域で溶解する腸溶性材料のコーティング膜であり、（Ａ）ヒドロキシプロピルメチルセルロースのエステル、（Ｂ）酢酸フタル酸セルロース、（Ｃ）メタアクリル酸コポリマーＬ、（Ｄ）メタアクリル酸コポリマーＬＤ、（Ｅ）メタアクリル酸コポリマーＳ、（Ｆ）カルボキシメチルエチルセルロース、（Ｇ）エチルセルロース、（Ｈ）アミノアルキルメタクリレートコポリマーＲＳ、（Ｉ）アクリル酸エチル・メタアクリル酸メチル・共重合体などから選択することができる。該コーティング層２ａが設けられていることにより、ジフェンヒドラミン塩酸塩顆粒３が胃で溶解した後に時間差を生じて溶解することとなる。すなわち、ジフェンヒドラミン塩酸塩に由来する薬効により睡眠が導入され、１〜２時間後にフィルムの溶解を経てグルクロノラクトン顆粒２が溶解し体内に吸収されることとなる。これにより、先に吸収されたジフェンヒドラミン塩酸塩は体内で分解され、ベンズヒドロールとなりグルクロン酸抱合体の形成が促される。グルクロン酸抱合体が形成されることにより代謝が促されるため、翌日に眠気やだるさが残らない。
【００１２】
前記ジフェンヒドラミン塩酸塩顆粒３は、ジフェンヒドラミン塩酸塩と賦形剤とからなる。ジフェンヒドラミン塩酸塩の含量は、１日量として５０ｍｇに調製されてなる。賦形剤としては前述のものを用いることができる。前記ジフェンヒドラミン塩酸塩顆粒３はコーティング等が施されていない。そのため、経口投与後、主に胃でカプセルの溶解に次いで溶解し、吸収されることとなる。
【００１３】
カプセル剤１の形状、大きさとしては特に限定されず、周知の各種形状を採用することができる。大きさは、容量１．３７ｍＬの０００号から容量０．１３ｍＬの５号まで適宜選択することができる。本体部１ａおよびキャップ部１ｂの原料としては、ゼラチンやヒドロキシメチルセルロースなど、各種カプセル剤の原料を使用することができる。また、酸化チタンや着色料を加えて着色することも可能である。
【符号の説明】
【００１４】
１  カプセル剤
１ａ  本体部
１ｂ  キャップ部
２  グルクロノラクトン顆粒
２ａ  コーティング層
２ｂ  顆粒本体
３  ジフェンヒドラミン塩酸塩顆粒
【図１】
0003163019.tif 000003
【図２】
0003163019.tif 000004
【図３】
0003163019.tif 000005
(57)【要約】      （修正有）【課題】モグラの生態を撹乱することによりモグラの活動を抑止し、被害を防ぐモグラの活動抑止器具を提供する。【解決手段】モグラ穴突きさし先端部を備えた外気導入管と、外気導入管の外側に上下動自在にはめ込んでなる土流入防止環と、外気導入管の上端部に着脱自在に差し込み可能な外気取り込み部を備える。【選択図】図１
0003163831.tif 000002
【実用新案登録請求の範囲】
【請求項１】
モグラ穴突きさし先端部を備えた外気導入管と、該外気導入管の外側に上下動自在にはめ込んで  なる土流入防止環と、前記外気導入管の上端部に着脱自在に差し込み可能な外気取り込み部を備え  ることを特徴とするモグラの活動抑止器具。
【請求項２】
前記外気取り込み部は、円形または多角形の天板および通風板に、複数の風向仕切り
板を組み合わせることにより複数の通風口を構成する請求項１記載のモグラの活動抑止
器具。
【請求項３】
前記外気導入管は、円筒にモグラ穴突きさし先端部と複数の外気放出穴を設け、土流入防止環を  取り付け、上部固定ピンおよび下部固定ピンを円筒に、上部固定ピン通路および下部固定ピン通路  を土流入防止環に設けたことを特徴とする請求項１記載のモグラの活動抑止器具。
【考案の詳細な説明】
【技術分野】
【０００１】
本考案は、モグラが地中に掘ったトンネル内に地上の事象を送り込み、モグラの生態
を撹乱することによりモグラの活動を抑止し、モグラからの被害をなくすための器具に関するもの  である。
【背景技術】
【０００２】
モグラは、地中にて活動し地上の環境を好まない。そして、田畑や花壇にトンネルを
掘り作物に被害を与える。モグラは、非常に臭覚および聴覚が発達しているため、捕獲
器によるモグラの捕獲は容易ではない。
【先行技術文献】
【特許文献】
【０００３】
【特許文献１】特開平１１−１３７１６０号  公報
【考案の概要】
【考案が解決しようとする課題】
【０００４】
モグラの被害防止には、一般的にモグラを捕獲することに手段がおかれている。しかし、モグラ  は地中生活であり、臭覚および聴覚が非常に発達しているため、今日流通している捕獲器具類を使  用してのモグラの捕獲は容易ではない。
【課題を解決するための手段】
【０００５】
本考案は、モグラを捕獲するのではなく、モグラが嫌う地上の環境、つまり、風や匂
い、音、気温の変化などの地上の事象をモグラのトンネル内に送り込み、モグラの生態を撹乱する  ことにより、モグラの活動を抑止し被害を防ごうとするものである。
【考案の効果】
【０００６】
モグラは、地上にはほとんど出てこない。地中にトンネルを掘りその中にはい出てく
るミミズなど、その他の昆虫類を餌として生活しており、そのため臭覚および聴覚が非常に発達し  ている。モグラは非常な大食漢で、胃の中に１２時間以上食物が無いと餓死してしまうと考えられ  ている。
このモグラの生態に注目し、モグラのトンネル内に地上の事象を送り込めば、モグラ
の活動を阻止することができる。このことにより、モグラは他の地域に移動するか餌をとることが  できずに餓死することになる。
なを、本考案における外気取り込み部は取り付けずに、外気導入管のみをモグラのト
ンネルのもう一方の端に突き刺しておけば、トンネル内に入った外気は地上に出やすくなり風の流  れができより効果的になる。また、外気導入管の底にモグラの忌避剤を入れておけば、より一層の  効果がある。
【図面の簡単な説明】
【０００７】
【図１】本考案の外気取り込み部と外気導入管を一体とする組立斜視図。
【図２】外気導入管の側面における図１のａ−ａ線一部切欠縦断面図。
【図３】外気取り込み部の平面における図１のｃ−ｃ線断面図。
【図４】外気取り込み部の側面における図１のｂ−ｂ線縦断面図。
【考案を実施するための形態】
【０００８】
使用するには、外気取り込み部Ａを外気導入管Ｂの上部の穴に差し込み一体とする。
外気導入管において、事前に土流入防止環の下部固定ピン通路と外気導入管の下部固定ピンとを合  わせ回し固定しておく。これにより、外気導入管をモグラのトンネルに突き刺したとき、外気放出  穴から土が外気導入管内に流入するのを防ぐ。
つぎに、外気導入管をモグラのトンネルに突き刺す。突き刺した状態で、事前に固定
してある土流入防止環の固定を外し、土流入防止環を引き上げ上部固定ピン通路と上部固定ピンを  合わせ回し固定する。以上により、外気放出穴をふさぐ物がなくなりモグラのトンネルは常に地上  とつながった状態となる。
外気取り込み部には通風口が複数あり、風の方向が東西南北に変化しても、風は常に
通風口から外気導入管に入り、外気放出穴からモグラのトンネル内に流入する。
モグラのトンネルのもう一方の端に、外気取り込み部を取り付けず、外気導入管のみ
を突き刺しておけば、トンネル内に風の流れができモグラに与える影響がより大きくなる。
また、外気導入管の底にモグラの忌避剤を入れておけば一層の効果がある。
【実施例】
【０００９】
本考案は、外気取り込み部Ａと外気導入管Ｂからなるものである。使用には、外気取り込み部    を外気導入管の上部に差し込み一体として使用する。
【００１０】
外気取り込み部Ａは、天板１、複数の風向仕切り板２、通風板３にて構成することにより、通    風口４を複数設ける。
風向仕切り板２の下端部は、外気導入管Ｂにおける円筒５の上部の穴に着脱自在にする。
【００１１】
外気導入管Ｂは、円筒５においてモグラの穴に外気を送り込むための外気放出穴１０を複数設    け、土流入防止環６を固定するための上部固定ピン８と下部固定ピン１１を設ける。
外気導入管の内部に土が流入するのを防ぐために、土流入防止環６を円筒５に取り付ける。
土流入防止環６には、上部固定ピン通路７と下部固定ピン通路９を設ける。
円筒5の先端は、モグラの穴に突き刺すための、モグラ穴突きさし先端部１２を設ける。
【００１２】
本考案の実施例は上記のごとき構成である。本考案をモグラのトンネルに突き刺すときは、事    前に外気導入管において土流入防止環６の下部固定ピン通路９を下部固定ピン１１に合わせ回し    固定する。
モグラのトンネルに突き刺した後、土流入防止環６の下部固定ピン通路９と下部固定ピン１１    の固定を外し、土流入防止環６を上部固定ピン８まで引き上げ、上部固定ピン通路７と上部固定    ピン８を合わせ回し固定する。
【符号の説明】
【００１３】
１  天板
２  風向仕切り板
３  通風板
４  通風口
５  円筒
６  土流入防止環
７  上部固定ピン通路
８  上部固定ピン
９  下部固定ピン通路
１０  外気放出穴
１１  下部固定ピン
１２  モグラ穴突きさし先端部
Ａ  外気取り込み部
Ｂ  外気導入管
【図１】
0003163831.tif 000003
【図２】
0003163831.tif 000004
【図３】
0003163831.tif 000005
【図４】
0003163831.tif 000006
(57)【要約】      （修正有）【課題】球形磁石を回転でき、磁力の方向を変えられる磁石を組み込んだ背もたれマットを提供する。【解決手段】球体磁石の磁力の影響が無いように樹脂材を磁石本体ケース材に使用し磁性体が上下可動できるようにマットのクッション材を硬めと柔らかめの二重構造とし磁石本体を硬いクッションに大座金とネジで固定し背筋に適当な圧力と背中移動により球体磁石が回転し磁力の方向が変化することで血行の流れを促進し筋肉などの疲れを和らげる効果もある。【選択図】図１
0003163814.tif 000002
【実用新案登録請求の範囲】
【請求項１】
球体磁石を背もたれマットに組み込んだ健康背もたれマット。
【考案の詳細な説明】
【技術分野】
【０００１】  本考案は球体磁石を内蔵した背もたれマットに関する。
【背景技術】
【０００２】  従来の背もたれマットに磁石内蔵製品はなかった。
【考案の開示】
【考案が解決しようとする課題】
【０００３】  球形磁石を回転できるような構造でいかに背もたれマットに組み込むかが課題である。
【課題を解決するための手段】
【０００４】  本考案では球体磁石の磁力の影響が無いように樹脂材の本体カバーで球体磁石の一部分を囲み押さへまた個々の磁性体が上下移動できるようにマットのクッション材を硬めと柔らかいスポンジに別けて使用し課題を解決した。【０００５】  球形磁石本体の固定方法は前部本体ケースと後部本体をネジ接続組立て方式に設計し背もたれマットの表面レーザーに後部ネジではさみこみ次にクッションスポンジから抜けないように大型座金で押さえネジで取付固定した。
【考案の効果】
【０００６】  球体磁石内蔵背もたれマットの使用例として椅子、ソファー、自動車座席など背もたれの出来る場所全てに利用でき、硬めと柔らか二重クッション構造により背筋に適当な圧力と背中移動による球形磁石の回転で磁力方向の変化により血行の流れを促進し筋肉などの疲れをやわらげる効果がある、
【考案を実施するための最良の形態】
【実施例】
【０００７】  本考案の図面に従って説明する、（図１）は球体磁石内蔵背もたれマット外観図で１はマット表面レーザー２は取り外し式マット固定バンド２−１はバンド締め付け金具３は球体磁石前部本体ケース３−１は球体磁石。【０００８】  （図２）は球体磁石背もたれマット構造断面図で１マット表面レーザー３は球体磁石前部本体ケース３−１球体磁石３−２球体磁石固定後部本体３−３前部本体ケース接続ネジ４は硬めのクッション材５は球体磁石本体ぬけ防止大型座金６は取り付けネジ７は球体磁石本体上下クッション用柔らかクッション材などの組立て構造でいろんな体系背もたれに対応し球体磁石の磁力により疲労を和らげる効果がある。
【図面の簡単な説明】
【０００９】
【図１】  球体磁石内蔵背もたれマット外観図
【図２】  球体磁石背もたれマット構造断面図
【符号の説明】
【００１０】１      マット表面レーザー
２      取り外し式マット固定バンド
２−１  バンド締め付け金具
３      球体磁石前部本体ケース
３−１  球体磁石
３−２  球体磁石固定後部本体
３−３  前部本体ケース
４      硬めクッション材
５      球体磁石本体ぬけ防止大型座金
６      取り付けねじ
７      柔らかクッション材
【図１】
0003163814.tif 000003
【図２】
0003163814.tif 000004
(57)【要約】      （修正有）【課題】ゴルフクラブの立て掛部及びタオルやビニールかけを備えた、携帯式で簡易に持ち運べるゴルフクラブの立て掛け用具を提供する。【解決手段】直径６ｍｍの鉄棒の先端部分を、ゴルフクラブのシャフトの掛け口１として、ベンダーで外側の直径７２ミリメートルの円に準じた約半弧形の曲線に曲げるとともに、その付け根を円弧状の部分が水平になるように直角に曲げて本体とする。その本体の上端から６７ミリメートル下の部分にフックを掛けるための直径５ミリメートルの曲線棒鋼３を溶接する。本体下端から上方８６ミリメートルの位置に地中に差し込むための足踏み用突起部５を設ける。【選択図】図１
0003163813.tif 000002
【実用新案登録請求の範囲】
【請求項１】
直径６ｍｍの鉄棒の先端部分を、ゴルフクラブのシャフトの掛け口として、ベンダーで外側の直径７２ミリメートルの円に準じた約半弧形の曲線に曲げるとともに、その付け根を円弧状の部分が水平になるように直角に曲げた主要部分と、その本体の上端から６７ミリメートル下の部分にフックを掛けるための直径５ミリメートルの曲線棒鋼を溶接したものと、本体下端から上方８６ミリメートルの位置に地中に差し込むための足踏み用突起部として、突き出し幅３６ミリメートル、突き出し高さ７６ミリメートルで本体と同じ素材のものを溶接したものからなる本体にプラスチックコーティングを施した用具で、ゴルフ場においてフェアウエイやグリーン周りに差し込み、ゴルフクラブを立て掛けることができて、クラブ忘れやグリップ等の汚れを防止できるといった特徴を有する携帯用簡易ゴルフクラブ立て掛け用具。
【考案の詳細な説明】
【技術分野】
【０００１】  本考案は、近年セルフプレーが定着しつつあるゴルフ場において、クラブの置き忘れや、雨天等でクラブグリップが濡れて滑ることなどを避けるための携帯簡易ゴルフクラブ立て掛け用具である。
【背景技術】
【０００２】  ゴルフ練習場やゴルフ場の練習場等には、ゴルフクラブの固定した立て掛け器具が見かけられるが、携帯用で移動可能なゴルフクラブを立て掛ける器具はまだ見たことがない。
【考案の概要】
【考案が解決しようとする課題】
【０００３】  近年、ゴルフ場ではセルフプレーが定着しつつある。このため、フェアウエイ、特にグリーン周りでは、ゴルフクラブを忘れるプレーヤーが多く、ゴルフ場でもクラブ探しに時間を取られるケースが急増している。一方、雨天におけるセルフプレーでは、プレーの途中で数本のクラブを持ってボールの位置に行くと、打つクラブ以外のクラブを濡れた地面に置かなければならず、グリップが濡れたり、汚れたりするケースが多かった。さらに、グリーンに行った時でも、キャディがいないことから汚れたボールを拭くタオルをカートまで取りに行けないケースが多々ある。携帯式で簡易に持ち運べるゴルフクラブの立て掛け用具及びそれに付随するタオルやビニールかけがあれば、こうしたケースを解決することが可能である。
【課題を解決するための手段】
【０００４】  上記の課題を安全でかつ安価に解決するために、軽量かつ簡易で、雨天のためのビニールやボールを拭くためのタオルを常時装備できる携帯可能なゴルフクラブ立て掛け用具を開発する。
【考案の効果】
【０００５】  安全かつ安価で、軽量かつ簡易に携帯可能なゴルフクラブ立て掛け用具として、ゴルフバッグにも容易に収納でき、使用したい場所に簡単に設置できるようにするために、直径６ミリメートルの鉄線を用い、次項に示す形状にしてプラスチックコーティングしたもので、タオルやビニールを掛けることも可能なこれまでにない簡易ゴルフクラブ立て掛け器具を開発した。
【図面の簡単な説明】
【０００６】
【図１】見取り図  図１は、全体の見取り図である。（１）のゴルフクラブのシャフトの掛け口は、本考案の主要部分の一つで、曲線にしたのはクラブシャフトがなめらかに掛けられることを目的としており、開口部先端が下に少し曲がり込んでいるのは、引っかかりを作って片手で持ちやすくするための工夫である。（２）は本考案の素材の説明で、直径６ｍｍの鉄棒をプラスチックコーティングしたものである。（３）はタオルやビニールカバーなどをくくりつけるフックをはめるため、本体に溶接した曲線棒鋼である。（４）は（３）の曲線棒鋼にはめ込むフックである。このフックにハンギングクリップ等の用具でタオルやビニール等を取り付けたりするためのものである。（５）は本体をゴルフ場の地中に差し込む際、固い部分がある場合に足をかけて地中に入れやすくするための足踏み用突起で、本体と同じ素材を曲げて溶接したものである。
【０００７】
【図２】平面図  図２は、真上から見た平面図である。図の下部の突起は、本体の下部に溶接した足踏み用突起である。
【０００８】
【図３】正面図  図３は、正面から見た立面図である。
【０００９】
【図４】背面図  図４は、背面から見た立面図である。
【００１０】
【図５】左側立面図  図５は、正面左側から見た立面図である。
【００１１】
【図６】右側立面図  図６は、正面右側から見た立面図である。
【００１２】
【図７】実施形態（実用例）  図７は、使用実態を想定した実用例の図である。
【考案を実施するための形態】
【実施例】
【００１３】  考案を実施するための形態として、図７に実施例を示した。図に示したように、本考案の簡易ゴルフクラブ立て掛け器具を地中に差し込み、数本のゴルフクラブを立て掛けられるとともに、タオルやビニールを掛けることにより、ボールを拭いたり、雨の時はクラブシャフトを濡らさないようにビニールを掛けたりできる。
【図１】
0003163813.tif 000003
【図２】
0003163813.tif 000004
【図３】
0003163813.tif 000005
【図４】
0003163813.tif 000006
【図５】
0003163813.tif 000007
【図６】
0003163813.tif 000008
【図７】
0003163813.tif 000009
(57)【要約】【課題】  サーフボードの様なボードにアクセル、バッテリー、ジェットスクリューを持ち、自由に水上、海上を走る自走サーフボードを提供する。海上、水上を快適に動け、操作も楽で扱い良い。【解決手段】  ボードの上端に把手部のある、バランスコードを持ち、上面に足ストラップが２つあり、後部にリーシュコード（流れ止め）を持つ。バッテリーとモーターとジェットスクリューを持ち、前進する。サーフボードより広範囲に動ける。快適さは非常に良い。又、バッテリーとモーター等を着脱自在とすることにより自動車のルーフに乗せられる。【選択図】図１
0003163820.tif 000002
【実用新案登録請求の範囲】
【請求項１】
ボード本体上面先端より出たバランスコードを設け、且つ上面に２つの足ストラップを設け、使用者の足に付けるリーシュコード（流れ止め）を一つ持ち、そのボードにバッテリーとモーターとジェットスクリューを設けた自走サーフボード。
【請求項２】
本体のデッキにソーラーパネルを張った太陽光で充電する請求項１記載の自走サーフボード。
【請求項３】
本体を型により作った請求項１記載の自走サーフボード。
【考案の詳細な説明】
【技術分野】
【０００１】    本考案は、自走サーフボードに関する。
【背景技術】
【０００２】    サーフィンはサーフボードを用い、普通に行われ工夫を余りされていない。【０００３】    以下説明するように本考案は、サーフボードの様な手軽さで、操作により自由に水上を走るものである。本考案は特公昭６１−３３７５６で一つの提案をしたが本考案は、それを進歩させたものである。
【考案の概要】
【考案が解決しようとする課題】
【０００４】    本考案はサーフボードによるサーフィンより、海上の広い範囲まで走れ、手軽に自由走行を行うものである。【０００５】    本考案はこの目的に沿うよう構成されたものである。
【課題を解決するための手段】
【０００６】    本考案はボード本体上面先端より出たバランスコードを設け、且つ上面に２つの足ストラップを設け、使用者の足につけるリーシュコード（流れ止め）を一つ持ち、バッテリーとモーターとジェットスクリューを設けた自走サーフボードである。【０００７】    本体のデッキにソーラーパネルを張った太陽光で充電する自走サーフボードである。【０００８】    本体を型により作った自走サーフボードである。
【考案の効果】
【０００９】    本考案は、サーフボードの様な手軽さで、水上を自由に操行でき、面白さも優れたものである。又、全体を自動車のルーフに乗せられるようにすることにより、より扱いが良くなる。又、有害な二酸化炭素を全く出さないクリーンな器具である。
【図面の簡単な説明】
【００１０】
【図１】    側面から見た側面図
【図２】    上より見た平面図
【図３】    下より見た底面図
【図４】    後方より見た背面図
【図５】    把手部と手の平面図
【図６】    前より見た正面図
【図７】    使用状態を示す側面図
【図８】    内部を見た平面図
【図９】    ジェットスクリュープロテクターの斜視図
【図１０】    ジェットスクリュープロテクターの側面図
【図１１】    スピードコントローラーの側面図
【図１２】    手首の流れ止めの平面図
【考案を実施するための形態】
【００１１】    ボード１は中心で厚さ１５０ミリメートル位あり、前部先端にバランスコード３を設ける。その先端の把手部２は手で押さえる。
ボードの上面には足ストラップ４が２つ付き、ボードの後部にリーシュコード（流れ止め）５を持つ。リーシュコード５は、転倒した時、流れ止めを行う。使用者はスピードコントローラー６を持つ。
【００１２】    バッテリー７があり、その後部にモーター８が接続され、シャフト９を持ちジェットスクリュー１０が設けられる。バッテリー７とモーター８は同室で防水カバーＢで密封される。
尚、図中Ａは使用者である。全長は２メートル５０センチ位あり、幅は７０センチメートル位である。又、数字１１はフィンである。
【実施例】
【００１３】    スピードは時速４０キロメートルから５０キロメートル位を目標にし、バッテリーとモーターは、外せるようにし、ボードを自動車のルーフに乗せるようになるのが好ましい。又、軽量化し、型製にすることが好ましい。【００１４】    使用者Ａは把手部２によりバランスコードを持ち、足は足ストラップに入れる。【００１５】    使用が終わったら全体を自動車のルーフ上に乗せられる。【００１６】    全体を図８で示すようにソーラーパネルにし、充電すると良く、常に運転できる。【００１７】    ジェットスクリューはジェットスクリュープロテクター１２で保護されている。手首にも流れ止め１３をつける。海水はジェットスクリュープロテクター１２の前の吸水口より入り後部に出る。
【符号の説明】
【００１８】１．ボード
２．把手部
３．バランスコード
４．足ストラップ
５．リーシュコード（流れ止め）
６．スピードコントローラー
７．バッテリー
８．モーター
９．シャフト
１０．ジェットスクリュー
１１．フィン
１２．ジェットスクリュープロテクター
１３．手首の流れ止め
Ａ．使用者
Ｂ．防水カバー
【図１】
0003163820.tif 000003
【図２】
0003163820.tif 000004
【図３】
0003163820.tif 000005
【図４】
0003163820.tif 000006
【図５】
0003163820.tif 000007
【図６】
0003163820.tif 000008
【図７】
0003163820.tif 000009
【図８】
0003163820.tif 000010
【図９】
0003163820.tif 000011
【図１０】
0003163820.tif 000012
【図１１】
0003163820.tif 000013
【図１２】
0003163820.tif 000014
(57)【要約】      （修正有）【課題】汲み取りが不要で、移動も簡単にできる、トイレを提供する。【解決手段】床板２と便器３が一体となった成型物４が地面Ｇに掘られた穴１を覆うように置かれており、前記便器３の下側には前記穴１が位置しており、前記床板２は、前記穴１より大きく張り出して形成する。さらに、前記床板２の周縁部には所要数の貫通穴５設けられており、これらの貫通穴５には、覆いを張るための支柱７が立ててあり、支柱７には覆いを張り巡らせて簡易トイレを構成する。これによって用を足しているときに人目に触れないため、安心して用を足すことができる。【選択図】図１
0003163856.tif 000002
【実用新案登録請求の範囲】
【請求項１】
床板と便器が一体となった成型物が、地面に掘られた穴を覆うように地面に置かれており、前記便器の下側には前記穴が位置しており、前記床板は、前記穴より大きく張り出して形成されている、簡易トイレ。
【請求項２】
床板と便器が一体となった成型物が、地面に掘られた穴を覆うように地面に置かれており、前記便器の下側には前記穴が位置しており、前記床板は、前記穴より大きく張り出して形成されており、前記床板の周縁部には所要数の貫通穴が設けられており、これらの貫通穴には、覆いを張るための支柱が立ててあり、支柱には覆いが張り巡らされる、簡易トイレ。
【請求項３】
地面に掘られた穴の周りの地面に載せ置かれて使用される簡易トイレ用成型物であって、この成型物は、床板と便器が一体となっており、前記床板は、前記便器の下側に前記穴を位置させた状態で地面に載せ置かれる、簡易トイレ用成型物。
【考案の詳細な説明】
【技術分野】
【０００１】
本考案は、例えば農作業時使用する、簡易トイレに関するものである。
【背景技術】
【０００２】
トイレ設備のない畑では、物陰や藪の中で用を足している，その為、毒蛇や毒虫による被害もある、且つ女性は、水分補給を控えて作業を行っている。
【考案の概要】
【考案が解決しようとする課題】
【０００３】
現在いろいろな形態の簡易トイレがあるが、経済的負担も大きく、且つ汲み取りなど、管理が必要となってくる。そこで簡単に設置でき、汲み取り不要とし前述の欠点を解決しようとするものである。
【課題を解決するための手段】
【０００４】
本考案は、床板と便器が一体となった成型物が、地面に掘られた穴を覆うように置かれており、前記便器の下側には前記穴が位置しており、前記床板は、前記穴より大きく張り出して形成されている簡易トイレである。このトイレによれば汚物が溜まったら、埋めて移動することによって、前記課題問題は解決できる。
【０００５】
本考案は、床板と便器が一体となった成型物が、地面に掘られた穴を覆うように地面に置かれており、前記便器の下側には前記穴が位置しており、前記床板は、前記穴より大きく張り出して形成されており、前記床板の周縁部には所要数の貫通穴が設けられており、これららの貫通穴には、覆いを張るための支柱が立ててあり、支柱には覆いが張り巡らされている、簡易トイレである。これによって用を足している時に人目に触れないため安心して用を足すことができる。
【０００６】
本考案は、地面に掘られた穴の周りの地面に載せ置かれて使用される簡易トイレ用成型物であって、この成型物は、床板と便器が一体となっており、前記床板は、前記便器の下側に前記穴を位置させた状態で地面に載せ置かれる、簡易トイレ成型物である。これによって容易に簡易トイレを作ることができる。
【考案の効果】
【０００７】
上述の様に、本考案のトイレであれば、汲み取りも不要で、移動も簡単にできるトイレが提供できる。このようなトイレが身近にあれば、物陰や藪の中で毒蛇や毒虫による被害もなく、虫刺されの心配もない。覆いがあれば人目も気にせずに用を足せる。
【図面の簡単な説明】
【０００８】
【図１】本考案の簡易トイレの実施例を示しており、図２の中央縦断面図である。
【図２】本簡易トイレの全体を示す斜視図である。
【考案を実施するための形態】
【０００９】
以下、添付図面に従って一実施例を説明する。地面G,たとえば畑に穴１を掘る、掘られた穴１の上に、床板２と便器３が一体となった成型物４が置かれている。成型物４は、例えば耐久性プラスッチック等適宜素材で作られている。便器３は、和式でも洋式でもよい。便器３の下には前記穴１が位置している。床板２は穴１より大きく張り出して形成されて地面Gに載せ置かれている。床板２の周縁部には所要数の貫通穴５が設けられており、これらの貫通穴５には覆い６を張るための支柱７が立ててある。支柱７には覆い６が張り巡らされている。なお８は出入り口の扉である。                                  
【符号の説明】
【００１０】
１  穴
２  床板
３  便器
４  成型物
５  貫通穴
６  覆い
７  支柱
８  扉
G  地面
【図１】
0003163856.tif 000003
【図２】
0003163856.tif 000004